(57)【要約】      （修正有）【課題】電機容器の空気ろ過を効率的に行う空気ろ過システムを提供する。【解決手段】ファンデバイスによって容器の入口へと導入される空気流をろ過するように構成されている少なくとも１つのろ過要素Ｆｉを備え、ろ過システム２はまた、いくつかの独立したろ過セルＣｉも備える。ｉは１〜ｎに及び、ｎは３以上であり、各ろ過セルＣｉは可変ろ過能力を有する。ｉが２以上である各ろ過セルＣｉは、Ｃ１〜Ｃｉ−１に及ぶセルのろ過能力の合計が特定の閾値を下回るときに、空気流の一部分をろ過するように作動させられる。【選択図】図２Ａ
2017183702.tif 000002
【特許請求の範囲】
【請求項１】
電気容器（１）のための空気ろ過システム（２）であって、ファンデバイス（３）によって前記容器（１）の入口へと導入される空気流をろ過するように構成されている少なくとも１つのろ過要素（Ｆｉ）を備え、前記システム（２）が、
いくつかの独立したろ過セルＣｉを備え、ｉは１〜ｎに及び、ｎは３以上であり、各ろ過セルＣｉは可変ろ過能力を有し、
ｉが２以上である各ろ過セルＣｉは、Ｃ１〜Ｃｉ−１に及ぶ前記セルの前記ろ過能力の合計が特定の閾値を下回るときに、前記空気流の一部分をろ過するように作動させられることを特徴とする、空気ろ過システム（２）。
【請求項２】
各ろ過セルＣｉが、入口空気流が特定の値を超える圧力を有するときに機械的に作動されるように構成されており、前記特定の値は、前記セルＣ１〜Ｃｉ−１の前記ろ過能力閾値に依存することを特徴とする、請求項１に記載のろ過システム。
【請求項３】
各ろ過セルＣｉが、開位置と閉位置との間で移動可能な弁（２０１）を有し、前記弁は、前記入口空気流の前記圧力が前記特定の値よりも大きくなるときにその開位置まで動くように調節されていることを特徴とする、請求項１または２に記載のろ過システム。
【請求項４】
前記弁（２０１）が、軸（２０２）を中心として旋回移動可能に取り付けられていることを特徴とする、請求項３に記載のろ過システム。
【請求項５】
各セルが、前記弁（２０１）を前記閉位置においてロックするように構成されているロックを備えることを特徴とする、請求項３または４に記載のろ過システム。
【請求項６】
各セルにおいて、前記ろ過要素（Ｆｉ）が、前記セル内で前記弁から上流に収容されていることを特徴とする、請求項３〜５のいずれか一項に記載のろ過システム。
【請求項７】
各セルにおいて、前記ろ過要素（Ｆｉ）が、前記弁から下流に位置付けられていることを特徴とする、請求項３〜５のいずれか一項に記載のろ過システム。
【請求項８】
各ろ過セルが、前記ろ過セルの停止状態に対応する第１の状態、または、前記セルの作動状態に対応する第２の状態を推定するように構成されているセンサ（２０３）を含むことを特徴とする、請求項１〜７のいずれか一項に記載のろ過システム。
【請求項９】
前記ろ過システムが、各センサ（２０３）に接続されるとともに、各センサのステータスを取り出すように構成されている処理ユニット（ＣＰＵ）を備えることを特徴とする、請求項８に記載のろ過システム。
【請求項１０】
前記処理ユニット（ＣＰＵ）が、２つのろ過セルの２回の連続する作動の間の継続時間を計算するように構成されている計算モジュールを含むことを特徴とする、請求項９に記載のろ過システム。
【請求項１１】
前記処理ユニット（ＣＰＵ）が、前記計算モジュールによって求められている前記継続時間に基づいて前記ろ過要素の交換時期を予測するためのモジュールを含むことを特徴とする、請求項１０に記載のろ過システム。
【請求項１２】
電気デバイスを収容するように意図されている電気容器（１）であって、空気入口（４）と、空気出口（５）と、前記容器の前記空気入口を通じた空気の導入を支援するように構成されているファンデバイス（３）とを有し、前記電気容器が、１１における請求項１のいずれか一項において規定されているものに一致し、前記空気入口において、前記容器内へと空気を導入する方向に関して前記ファンデバイス（３）から上流に位置付けられているろ過システム（２）を有することを特徴とする、電気容器（１）。
【発明の詳細な説明】
【技術分野】
【０００１】
本発明は、電気容器のための空気ろ過システムに関する。
【背景技術】
【０００２】
エネルギー効率の理由から、たとえば、電気キャビネットのような電気容器内に収容されている電気デバイスの熱を放散するために、消費される電気エネルギーを考慮に入れることが、現在必要とされている。この熱放散のために、電気容器は一般的に、電気デバイスを冷却するために容器内への空気の導入を支援するためのファンデバイスが位置付けられている空気入口と、高温空気を容器の外部に排出するための空気出口とを備える。粉塵または他の汚染粒子が容器内へと流入することを防止するために、容器の空気入口にフィルタが配置される。このフィルタは、空気が容器内へと流入する間に外部からの粒子を捕捉するために装填されている発泡材料から構成されており、これにより、清浄な空気が電気容器に入ることが可能になっている。電気デバイスの効率的な冷却を保証するために、常に十分な空気の流れが容器へと入っていかなければならない。
【０００３】
近年の設備においては、デバイスの冷却能力を改善するために、ファンの数およびろ過表面積を増大させることが提案されている。したがって、相当量の空気の流れが容器に入るようになっている。このタイプの設備において、各々がファンおよびフィルタを装備するいくつかの換気セルが、たとえば、互いに隣接して配置されている。
【０００４】
したがって、そのような換気構造体では、すべてのフィルタが同時に使用される。それゆえ、それらのフィルタは、同じ速度でまたは不均衡に摩滅する可能性があり、これによってアーキテクチャの維持管理がより複雑になる。そのようなアーキテクチャについて、ろ過システムを維持管理するための様々なシナリオが実施され得るが、それらは決して完全に満足のいくものではない。これらの様々なシナリオは、以下の通りである。
−オペレータが、フィルタをすべて同時に交換するために、すべてのフィルタが十分に摩滅するまで待つ。しかしながら、この結果として、フィルタが過度に汚染された場合に、アーキテクチャの冷却能力が大幅に低減する場合がある。
−オペレータが、各フィルタを、その汚染レベルに基づいて独立して交換することができるが、これには、それらの汚染レベルを定期的にモニタリングする必要がある。
−オペレータが、フィルタが摩滅しすぎる前に、すべてのフィルタを同時に交換することができる。これによってより高い費用が発生し、依然として定期的な検査が必要である。
【０００５】
フィルタの過剰な汚染に関連して冷却能力が大幅に低減した場合、２つの個別の状況が発生し得ることが留意されるべきである。
−第１の状況において、導入される空気流が不十分になり、電気デバイスの温度が上昇しがちになり、これは過熱した場合に、故障、それらの電気デバイスの停止または機能不全をもたらす可能性がある。
−第２の状況において、容器内に収容されている電気デバイスを適切に冷却するために必要とされる空気流は維持されるが、ファンデバイスに課せられる負荷が増大し、最終的にはファンデバイスの耐用寿命に影響を及ぼす可能性がある。
【０００６】
それゆえ、上述した２つの状況のいずれかが発生する前に、空気入口フィルタを適時に清浄化または交換することができるように、空気入口フィルタに関する汚染レベルが考慮に入れられなければならない。
【０００７】
独国特許出願公開第１９９４９９３４号明細書は、いくつかのろ過要素が別個の区画内に収容される解決策を共有することを提案している。それらの区画は独立して作動させることができるが、提案されているソリューションは、ろ過要素の汚染レベルに単純に適合することが不可能であるため、満足のいくものではない。
【先行技術文献】
【特許文献】
【０００８】
【特許文献１】独国特許出願公開第１９９４９９３４号明細書
【発明の概要】
【発明が解決しようとする課題】
【０００９】
本発明の目的は、上記の従来技術の欠点を克服する、電気容器のための空気ろ過システムを提案することである。
【課題を解決するための手段】
【００１０】
この目的は、電気容器のための空気ろ過システムであって、ファンデバイスを通じて上記容器の入口へと導入される空気流をろ過するように構成されている少なくとも１つのろ過要素を備え、上記システムは、
−いくつかの独立したろ過セルＣｉを備え、ｉは１〜ｎに及び、ｎは３以上であり、各ろ過セルＣｉは経時的に変化するろ過能力を有し、
−ｉが２以上である各ろ過セルＣｉは、セルＣ１〜Ｃｉ−１のろ過能力の合計が特定の閾値を下回るときに、空気流の一部分をろ過するために作動するように制御される、電気容器のための空気ろ過システムによって達成される。
【００１１】
一の特徴によれば、各ろ過セルＣｉは、入口空気流が、特定の値を超える圧力を有するときに機械的に作動されるように構成されており、上記特定の値は、セルＣ１〜Ｃｉ−１の上記ろ過能力閾値に依存する。
【００１２】
別の特徴によれば、各ろ過セルＣｉは、開位置と閉位置との間で移動可能な弁を有し、上記弁は、入口空気流の圧力が上記特定の値よりも大きくなるときにその開位置まで動くように調節されている。
【００１３】
別の特徴によれば、弁は、１つの軸を中心として旋回移動可能であるように取り付けられている。
【００１４】
別の特徴によれば、各セルは、弁を閉位置においてロックするように構成されているロックを備える。
【００１５】
第１の代替的な実施形態によれば、各セルにおいて、ろ過要素はセル内で、弁から上流に収容されている。
【００１６】
第２の実施形態によれば、各セルにおいて、ろ過要素は、弁から下流に位置付けられている。
【００１７】
有利には、各ろ過セルは、たとえば、ろ過セルの停止状態に対応する第１の状態、または、セルの作動状態に対応する第２の状態を推定するように構成されているセンサを含むことができる。システムは、たとえば、各センサに接続されるとともに、各センサのステータスを取り出すように構成されている処理ユニットを含む。
【００１８】
有利には、処理ユニットは、２つのろ過セルの２回の連続する作動の間の継続時間を計算するように構成されている計算モジュールを含む。
【００１９】
有利には、処理ユニットは、計算モジュールによって求められている継続時間に基づいてろ過要素の交換時期を予測するためのモジュールを備える。
【００２０】
本発明はまた、電気デバイスを収容するように意図されている電気容器であって、空気入口と、空気出口と、容器の空気入口を通じた空気の導入を支援するように構成されているファンデバイスと、上記で規定されているものによる、空気入口において、容器内へと空気を導入する方向に関してファンデバイスの上流に位置付けられているろ過システムとを有する、電気容器にも関する。
【００２１】
他の特徴および利点が、添付の図面を参照して、以下の詳細な説明から明らかとなる。
【図面の簡単な説明】
【００２２】
【図１】本発明のろ過システムが位置付けられる電気容器の概略側面図である。
【図２Ａ】２つの個別の代替的な実施形態のうちの１つに従って示されている、本発明の空気ろ過システムの概略図である。
【図２Ｂ】２つの個別の代替的な実施形態のうちの１つに従って示されている、本発明の空気ろ過システムの概略図である。
【図３Ａ】本発明の空気ろ過システムの動作原理を示す図である。
【図３Ｂ】本発明の空気ろ過システムの動作原理を示す図である。
【図３Ｃ】本発明の空気ろ過システムの動作原理を示す図である。
【図３Ｄ】本発明の空気ろ過システムの動作原理を示す図である。
【図３Ｅ】本発明の空気ろ過システムの動作原理を示す図である。
【図４】本発明の空気ろ過システムの有利な代替的実施形態を示す図である。
【発明を実施するための形態】
【００２３】
本発明は、電気容器内に設置されている電気デバイスを冷却するために容器内へと導入される空気をろ過するために使用されるろ過システム２に関する。
【００２４】
図１を参照すると、上壁１０、下壁１１および対になって対向している４つの側壁１２を備える平行六面体形状を有する電気容器１の一例が取り上げられている。無論、本発明のろ過システムは、すべてのタイプ、形状およびサイズの電気容器に適合することができる。
【００２５】
電気容器１は、たとえば、レールに固定されている電気デバイス６を収容するように意図されており、それを通じて空気が電気容器１の内部に導入される空気入口４と、電気容器１の外部に高温空気を放出するための空気出口５とを含む。
【００２６】
ファンデバイス３が、容器の空気入口４に位置付けられている。作動されると、ファンデバイスは、容器１の内部へと導入される空気流を生成する。
【００２７】
本発明のろ過システム２は、空気入口４で、容器内へと空気を導入する方向に関してファンデバイス３から上流に位置付けられる。ろ過システムは、ファンデバイス３を用いて、空気入口を介して容器内へと導入される空気流をろ過するように意図されている。ろ過システムの出口は、容器１の空気入口に接続されている。
【００２８】
本明細書の残りの部分について、また添付の図面においては、空気は容器内へと、したがって、ろ過システム２の出口において、一定の流速Ｑの流れ（図面においては「Ｑ  ｃｓｔ」で示されている）および一定の圧力Ｐ（図面においては「Ｐ  ｃｓｔｅ」で示されている）で容器内へと導入されると仮定される。
【００２９】
図１において、本発明のろ過システムを装備した電気容器が側面図において示されており、非限定的に、以下の構成を提示する。
【００３０】
空気入口および空気出口は、図面の平面に垂直な２つの対向する側壁１２に表現されている。
【００３１】
ろ過システム２は、容器１の外側で容器の１つの側壁１２に固定されている。
【００３２】
ファンデバイスは、容器内へと空気を導入する方向に関してろ過システム２から下流に位置付けられている。
【００３３】
無論、この構成は一例としてのみ与えられており、とりわけ、空気入口および空気出口を他方の２つの対向する側壁に置くか、または、空気入口もしくは空気出口に上壁を使用することによって、任意の他の構成がもたらされてもよい。
【００３４】
本発明によれば、図２Ａおよび図２Ｂを参照して、ろ過システム２は、独立して互いから分離されている、いくつかのろ過セルＣｉを含む（ｉは１〜ｎに及び、ｎは３以上であることが好ましい）。容器のサイズに従って、セルＣｉの数ｎは、たとえば、冷却能力を調整するように適合されるものとする。「独立したセル（ｉｎｄｅｐｅｎｄｅｎｔ  ｃｅｌｌ）」という用語によって、各セルは他のセルに対して区切られており、各他のセルを通る空気流とは別に、空気流が通ることが可能であることは理解されたい。各セルは、外部に向けて外方に開口している空気入口と、電気容器の空気入口に向けて開口している空気出口とを含むものとする。容器の空気入口とセルの空気出口との間にチャンバが配置され得る。下記に説明するように、各セルの入口および／または出口は、最初は弁によって閉じられ得る。
【００３５】
各ろ過セルＣｉは、セルを通過する空気流をろ過するように構成されているろ過要素Ｆｉを含む。各ろ過要素は、独立した取り外し可能なものとすることができ、または、いくつかのろ過セルの間で共有される、単一のより大きいろ過要素の領域を形成することができる。添付の図面に示すように、たとえば、単一のろ過要素がすべてのろ過セルに対して使用されてもよく、このろ過要素は、システム内に存在するろ過セルと同数のろ過領域で共有される。単純にするために、各々が１つの個別のろ過セルＣｉと関連付けられているいくつかの独立したろ過要素Ｆｉが本明細書の残りの部分において記載される。
【００３６】
ろ過システムは、より具体的には、以下を含む。
−最初に作動し、他のすべてのろ過セルがまだ作動していないときに、ファンデバイスによって生成される空気流Ｑ全体が通過する一次ろ過セルＣ１。
−すでに作動しているろ過セルのろ過要素Ｆｉにおいて汚染レベルが増大するにつれて増分的に作動される、Ｃ２〜Ｃｎとして示されている、増分的に作動するろ過セル。
【００３７】
添付の図面において、一例として、また非限定的に、本発明のろ過システム２は、５つのろ過セルを有して表現されている。
【００３８】
増分的に作動するろ過セルＣ２〜Ｃｎは、以下のように作動される。セルＣ１〜セルＣｉ−１のろ過能力が不十分になると、すなわち、これらのセルＣ１〜Ｃｉ−１と関連付けられるすべてのろ過要素Ｆ１〜Ｆｉ−１の全体的な汚染レベルが特定の閾値を超えると、作動していないセルＣｉが作動するようになる。この全体的な汚染レベル閾値を超えると、ファンデバイスを通じて生成される空気流全体をより多数のセルへと分割するために、少なくとも１つの新たなろ過セルが作動され、それによって、システムのろ過面が増大し、ろ過能力が十分なレベルに維持される。ろ過セルを増分的に作動させることによってシステムのろ過能力が十分である限り、ろ過要素の交換は必ずしも必要とされなくてもよい。加えて、ファンデバイス３がより大きい空気流Ｑを生成するように制御される場合、いくつかのろ過セルを同時にまたはより近い時間間隔で作動させることによって、システムのろ過能力を増大させることができる。
【００３９】
図２Ａおよび図２Ｂを参照すると、増分的に作動されるろ過セルＣ２〜Ｃｎは、たとえば、空洞２０を含み、壁２００によって隣接するろ過セルから分離されている。増分的に作動される各ろ過セルは、閉位置と開位置との間で動くように適合されている弁２０１を含む。ろ過セルが作動されていないとき、弁２０１は閉位置にあり、空気流のいかなる部分もこれを通過しない。セルと関連付けられるろ過要素は、以下の２つの可能性のある変形形態に従って位置付けることができる。
−空気流を導入する方向に関して弁から上流（図２Ａ）、または
−空気流を導入する方向に関して弁から下流（図２Ｂ）。
【００４０】
ろ過要素を弁から上流に設置することは、とりわけ、弁を外部環境の汚染から保護する役割を果たす。
【００４１】
ろ過要素を弁から下流に設置することは、とりわけ、ファンデバイスが始動されるか、または、ファンデバイスの速度制御が変動している間に発生する、空気流速の急上昇を制限する役割を果たす。
【００４２】
本発明の作用および特徴は、ろ過要素が弁に対する関係においてどのように配置されているかに関わりなく、有効である。
【００４３】
弁２０１は、単一片または複数片において構築されてもよい。弁は、以下の異なる機構を使用して１つの位置から別の位置へと動くことができる。
−弁が単一部品から構成される場合は軸２０２を中心として、または、弁が２つの部品から構成される場合は２つの平行な軸を中心として弁を回転させるために使用される旋回機構、
−弁がスライドすることを可能にするために提供されるスライド機構によってスライドする。
【００４４】
図２Ａおよび図２Ｂにおいて、非限定的に、各弁２０１は、１つの軸を中心として旋回移動可能に取り付けられる。これらの図面において、セルＣ２の弁は、その閉位置で実線を使用し、かつ、その開位置で点線を使用して表現されている。
【００４５】
弁を開くことによるセルの作動は、下記に説明するいくつかの個別の変形形態に従って実施されてもよい。
【００４６】
第１の変形形態において、ろ過セルＣｉの弁２０１は、単純な機械的効果によってその閉位置からその開位置へと動く。セルＣ１〜Ｃｉ−１のろ過能力が特定の閾値を下回ると、容器内へと導入されるべき空気の圧力が増大し、セルＣｉの弁２０１を開くのに十分な機械力が生成される。したがって、セルの増分的な作動は、ファンデバイスを用いて、容器内へと導入されるべき空気の圧力に対する関係においてそれらの弁２０１の開放を調節することによって実施される。弁２０１を開くのに必要とされる圧力レベルは、様々な方法で調整されてもよい。これは、たとえば、弁の表面を調整するように、または、空洞および／もしくはセルの空気入口ダクトのサイズを調整するように、バラストウェイトを適切な様式で弁に配置することによって、行われてもよい。選択されるソリューションは、とりわけ、使用されるファンデバイスのタイプに応じて決まり得て、ファンデバイスは、制御電子機器を使用することによって、常に一定である空気流速、または、可変空気流速を生成することができる。
【００４７】
第２の代替的な実施形態において、ろ過セルＣｉの作動は、コンピュータ処理ユニットによって制御される。セルＣ１〜Ｃｉ−１のろ過能力が上記特定の閾値を下回り、処理ユニット内に記憶されると、処理ユニットは、追加のろ過セルＣｉの作動を制御する。この制御は、たとえば、以下のものに対して電気信号を発することである。
−作動されると、弁２０１をロック解除する電気機械式ロックであって、弁は、自然重力によって、または、バネもしくはアクチュエータタイプの機械的要素を用いて開かれる、電気機械式ロック、および／あるいは
−弁２０１を、その閉位置からその開位置へと作動させるように構成されているアクチュエータ。
【００４８】
セルのろ過能力は、以下の種々の方法で決定され得る。
−任意の既知の測定システムを使用してろ過要素の汚染レベルを測定することによって。処理ユニットは、測定される汚染レベルを、記憶されている汚染閾値と比較する。
−セルの出口において空気流速を測定することによって。セルの出口における空気流速が、処理ユニット内に記憶されている特定の閾値を下回る場合、これは、ろ過要素がもはや十分なろ過能力を有しないことを意味する。
−ろ過要素の動作時間を測定し、製造業者データから得られる有効動作の通常継続時間と比較することによって、または、学習期間を実施することによって。
−任意の他の測定および／または計算ソリューションによって。
【００４９】
さらに、セルを作動させるために使用される代替的な実施形態に関わりなく、弁２０１は、最初は、偶然に開くことを防止するためにその閉位置においてロックすることができる。弁２０１は、対応するろ過セルを作動させなければならないときに、たとえば、上記処理ユニットが電気機械式ロックにロック解除電気信号を送信することによって、ロック解除することができる。
【００５０】
図３Ａ〜図３Ｅを参照すると、本発明による、たとえば、メインろ過セルと、増分的に作動される４つのろ過セルとを備えるろ過システムは、下記に説明するように動作する。これらの図面において、動作は図２Ｂの実施形態を使用して示されているが、原理は図２Ａの実施形態について同じであることが理解されなければならない。
【００５１】
図３Ａ：
メインろ過セルＣ１のみが作動する。ファンデバイスによって容器内へと導入されるべきすべての空気流Ｑが、メインろ過セルＣ１のろ過要素によってろ過される。
【００５２】
図３Ｂ：
メインろ過セルＣ１のろ過能力が特定の閾値を下回っており、結果として、ろ過システム２を通る空気の圧力が増大している。圧力がセルＣ２の弁の開放閾値を上回ると、このセルＣ２の弁が開く。セルの作動閾値は、たとえば、メインろ過セルＣ１を通るＱ／２に等しい空気流速に対して設定される。セルＣ２が作動すると、Ｑ／２に等しい空気流速がメインろ過セルＣ１を通過し、Ｑ／２に等しい空気流速がろ過セルＣ２を通過する。
【００５３】
図３Ｃ：
メインろ過セルおよび上記で作動されたろ過セルＣ２のろ過能力が不十分になり、特定の閾値を下回り、再び、結果として、ろ過システム２を通る空気の圧力が増大している。空気の圧力がセルＣ３の弁の開放閾値を上回ると、このセルＣ３の弁が開く。前述のように、セルの作動閾値は、たとえば、メインろ過セルＣ１およびろ過セルＣ２によって形成されるアセンブリについてのＱ／２に等しい空気流速に対して設定される。セルＣ３が作動すると、Ｑ／４に等しい空気流速がメインろ過セルＣ１を通過し、Ｑ／４に等しい空気流速がろ過セルＣ２を通過し、Ｑ／２に等しい空気流速がろ過セルＣ３を通過する。
【００５４】
図３Ｄ：
上記で作動されたメインろ過セル、ろ過セルＣ２およびろ過セルＣ３のろ過能力が不十分になり、特定の閾値を下回り、再び、結果として、ろ過システム２を通る空気の圧力が増大している。空気の圧力がセルＣ４の弁の開放閾値を上回ると、このセルＣ４の弁が開く。前述のように、セルＣ４の作動閾値は、たとえば、メインろ過セル、ろ過セルＣ２およびろ過セルＣ３によって形成されるアセンブリについてのＱ／２に等しい空気流速に対して設定される。セルＣ４が作動すると、Ｑ／６に等しい空気流速がメインろ過セルＣ１を通過し、Ｑ／６に等しい空気流速がろ過セルＣ２を通過し、Ｑ／６に等しい空気流速がろ過セルＣ３を通過し、Ｑ／２に等しい空気流速がろ過セルＣ４を通過する。
【００５５】
図３Ｅ：
上記で作動されたメインろ過セル、ろ過セルＣ２、ろ過セルＣ３およびろ過セルＣ４のろ過能力が不十分になり、特定の閾値を下回り、再び、結果として、ろ過システムを通る空気の圧力が増大している。空気の圧力がセルＣ５の弁の開放閾値を上回ると、このセルＣ５の弁が開く。前述のように、セルＣ５の作動閾値は、たとえば、メインろ過セル、ろ過セルＣ２、ろ過セルＣ３およびろ過セルＣ４によって形成されるアセンブリについてのＱ／２に等しい空気流速に対して設定される。セルＣ５が作動すると、Ｑ／８に等しい空気流速がメインろ過セルを通過し、Ｑ／８に等しい空気流速がろ過セルＣ２を通過し、Ｑ／８に等しい空気流速がろ過セルＣ３を通過し、Ｑ／８に等しい空気流速がろ過セルＣ４を通過し、Ｑ／２に等しい空気流速がろ過セルＣ５を通過する。
【００５６】
たとえば、Ｑ／２より低い空気流速に対応して、システムのすべてのセルによって形成されるアセンブリが有するろ過能力が特定の閾値を下回ると、ろ過要素は交換される必要がある。
【００５７】
図４に示す本発明の代替的な実施形態によれば、ろ過システム２は、セルが作動されるときにモーメントを検出するための、増分的に作動される各ろ過セルＣ２〜Ｃｎと関連付けられるセンサ２０３を含む。システム２はまた、各センサのステータスを判定するために、各々が別個のセンサ２０３と関連付けられる複数の入力を有するＣＰＵプロセッサをも含む。処理ユニットは、２つの連続するセル作動の間に経過した時間に基づいて各ろ過要素Ｆｉの交換時期Ｔ＿Ｆｉを求めるように構成されている計算モジュールを含む。
【図１】
2017183702.tif 000003
【図２Ａ】
2017183702.tif 000004
【図２Ｂ】
2017183702.tif 000005
【図３Ａ】
2017183702.tif 000006
【図３Ｂ】
2017183702.tif 000007
【図３Ｃ】
2017183702.tif 000008
【図３Ｄ】
2017183702.tif 000009
【図３Ｅ】
2017183702.tif 000010
【図４】
2017183702.tif 000011
【外国語明細書】
2017183702000001.pdf